(57)【要約】【課題】安息香酸との相溶性があり、不燃であって、取扱い上の法規制がない溶剤による安息香酸の除去方法の提供。【解決手段】表面に安息香酸が付着した物品を、１，１，１，２，２，３，３，４，４，５，５，６，６−トリデカフルオロヘキサン、１，１，２，２−テトラフルオロエチル−２，２，２−トリフルオロエチルエーテル等からなるフッ素系溶剤とエタノール等のアルコール類とからなる混合溶剤と接触させることにより、上記物品から安息香酸を除去することを特徴とする安息香酸の除去方法。【選択図】なし【特許請求の範囲】
【請求項１】
表面に安息香酸が付着した物品を、フッ素系溶剤とアルコール類とからなる混合溶剤と接触させることにより、上記物品から安息香酸を除去することを特徴とする安息香酸の除去方法。
【請求項２】
上記混合溶剤が引火点を有しない請求項１に記載の安息香酸の除去方法。
【請求項３】
フッ素系溶剤がハイドロフルオロカーボンまたはハイドロフルオロエーテルからなり、アルコール類が炭素数４以下のアルカノールである請求項１または２に記載の安息香酸の除去方法。
【請求項４】
上記混合溶剤が、共沸組成物または共沸様組成物である請求項１、２または３に記載の安息香酸の除去方法。
【発明の詳細な説明】
【技術分野】
【０００１】
本発明は、物品の表面に付着した安息香酸の除去方法に関する。
【背景技術】
【０００２】
従来、物品の表面に付着した安息香酸は、安息香酸と相溶性があり室温で揮発性のある、エタノール等のアルコール類、トルエンなどの芳香族炭化水素類、塩化メチレン等の塩素系溶剤に浸漬して除去する方法が一般的である。
【０００３】
しかし、これらの溶剤は、引火点を有する、取扱い上の法規制がある等の問題がある他、洗浄を繰り返すと溶剤中の安息香酸の濃度が上昇し、被洗浄物品を溶剤中から引き上げた際に、被洗浄物品に安息香酸が再付着することがあるため、溶剤を頻繁に交換しなければならない問題があった。
【０００４】
一方、フッ素系溶剤は一般的に不燃であり、取扱い上の法規制がないものが多い。例えば、特許文献１には、フッ素系溶剤の一種であるシス−１，１，２，２，３，４−ヘキサフルオロシクロブタンとメタノール等とからなる共沸組成物が、脱脂洗浄、フラックス洗浄、水切り乾燥等に用いられることが記載されている。
【０００５】
しかし、フッ素系溶剤は、安息香酸の溶解力が低いため、安息香酸の除去には適さないという問題があった。
【０００６】
【特許文献１】特開平７−２７８０２９号公報（特許請求の範囲）
【発明の開示】
【発明が解決しようとする課題】
【０００７】
本発明は、安息香酸との相溶性があり、不燃であって、取扱い上の法規制がない溶剤を用いた安息香酸の除去方法の提供を目的とする。
【課題を解決するための手段】
【０００８】
本発明は、表面に安息香酸が付着した物品を、フッ素系溶剤とアルコール類とからなる混合溶剤と接触させることにより、上記物品から安息香酸を除去することを特徴とする安息香酸の除去方法を提供する。
【発明の効果】
【０００９】
本発明者らは、フッ素系溶剤にアルコール類を添加すると、安息香酸の溶解力が大きくなることを見出し、表面に安息香酸が付着した物品に、フッ素系溶剤とアルコール類とからなる混合溶剤を接触させると、安息香酸が容易に除去できることを見出した。この混合溶剤は引火点を有しない不燃性の溶剤である。さらに、この混合溶剤が共沸組成物または共沸様組成物である場合は、浸漬洗浄の他、蒸気洗浄も適用することができるようになるため、浸漬洗浄を行った後に少量の安息香酸が再付着したとしても、次いで蒸気洗浄を行うことにより安息香酸を完全に除去できる。
【発明を実施するための最良の形態】
【００１０】
本発明においては、フッ素系溶剤とアルコール類とからなる混合溶剤を用いる。ここで、フッ素系溶剤としては、ハイドロクロロフルオロカーボン（以下、ＨＣＦＣという。）、ハイドロフルオロカーボン（以下、ＨＦＣという。）、パーフルオロカーボン（以下、ＰＦＣという。）、またはハイドロフルオロエーテル（以下、ＨＦＥという。）を用いることができる。
【００１１】
なかでも、ＨＦＣおよびＨＦＥはオゾン破壊係数が０であり、地球温暖化係数が数千以下と低いものが多いことから、環境への負荷を低減できるという点で好ましい。具体的には、ＨＦＣとしては、１，１，１，２，２，３，３，４，４，５，５，６，６−トリデカフルオロヘキサン（以下、ＨＦＣ５２−１３という。）、１，１，１，２，２，３，４，５，５，５−デカフルオロペンタン（以下、ＨＦＣ−４３−１０という。）が挙げられ、ＨＦＥとしては、１，１，２，２−テトラフルオロエチル−２，２，２−トリフルオロエチルエーテル（以下、ＨＦＥ３４７という。）、１，１，１，２，２，３，３，４，４−ノナフルオロブチル−メチルエーテル（以下、ＨＦＥ４４９という。）が挙げられる。
【００１２】
また、アルコール類としては、炭素数４以下のアルカノールが好ましく、具体的には、メタノール、エタノール、１−プロパノール、２−プロパノール、１−ブタノール、２−ブタノール、２−メチル−１−プロパノール、２−メチル−２−プロパノールが挙げられる。なかでも、アルコール類としてエタノールを用いた場合は、安息香酸の溶解力をより高めることができるため好ましい。
【００１３】
混合溶剤におけるフッ素系溶剤とアルコール類との含有割合は、フッ素系溶剤およびアルコール類の種類により異なるが、質量比で、フッ素系溶剤／アルコール類＝９８／２〜８５／１５、特には９５／５〜９０／１０の範囲とすることが好ましい。
【００１４】
上記含有割合を選定するにあたっては、混合溶剤が不燃となる割合を選ぶことが好ましい。この観点からアルコール類の含有割合を選定することにより、いかなる温度で使用した場合であっても引火するおそれがなく、安全に取り扱うことができる。
【００１５】
一方、上記含有割合を選定するにあたっては、混合溶剤の組成が共沸組成または共沸様組成となる割合を選ぶことが好ましい（なお、共沸様組成物とは、気液平衡時に気相と液相の組成変化が１０質量％以内である組成物をいう。）。これにより、物品の表面に付着する溶剤の組成が均一の状態で乾燥できる。また、混合溶剤が共沸組成物または共沸様組成物である場合は、洗浄方法として蒸気洗浄を採用することができるが、蒸気洗浄によれば洗浄後の物品に安息香酸が再付着することがない。さらに、洗浄後の安息香酸が溶解した混合溶剤を蒸留により再生し、組成を再調整することなくそのまま利用することができる。
【００１６】
また、安息香酸の除去効果を高めるという観点から、アルコール類がエタノールである場合は、その含有割合は混合溶剤において５質量％以上とするのが好ましい。エタノールの含有割合が５質量％以上であり、かつ、混合溶剤が共沸組成物である場合はさらに好ましい。このような混合溶剤としては、具体的には、ＨＦＣ５２−１３とエタノールの共沸組成物（各々の含有割合が、質量比で、ＨＦＣ５２−１３／エタノール＝９１．３／８．７）、ＨＦＥ３４７とエタノールの共沸組成物（各々の含有割合が、質量比で、ＨＦＥ３４７／エタノール＝９４．５／５．５）が挙げられる。
【００１７】
表面に安息香酸が付着した物品を、混合溶剤と接触させる方法としては、物品を混合溶剤の溶液中に浸漬して洗浄する浸漬洗浄が好ましい。浸漬洗浄においては、さらに、混合溶剤を加熱する、物品を揺動する、超音波洗浄する等の方法を併用することにより、安息香酸の除去効果を高めることができる。
【００１８】
また、その他の方法としては、混合溶剤の蒸気に物品を曝す蒸気洗浄、混合溶剤を物品にスプレーして吹き付けるスプレー洗浄、混合溶剤を紙や布につけて、この紙や布で物品表面の安息香酸を拭き取る方法等が挙げられる。
【実施例】
【００１９】
以下、本発明を実施例を用いて説明する。例１〜４は実施例であり、例５および６は比較例である。
【００２０】
［例１〜６］
５ｃｍ角に切った１００メッシュの金網（重量Ａ０）を、安息香酸の含有割合が５質量％となるようにエタノールに溶解した溶液に浸漬して引き上げた後、空気中、２２℃で１時間乾燥させた。この乾燥後の金網の重量を測定した（重量Ａ１）。次に、室温で表１に示した例１〜６の混合溶剤に浸漬し、この状態で５分間超音波洗浄を行った後、この金網を混合溶剤から引き上げ、空気中、２２℃で１時間乾燥させた。この乾燥後の金網の重量を測定した（重量Ａ２）。以下の式により安息香酸の除去率Ｘ（％）を算出した。
【００２１】
Ｘ＝（１−（Ａ２−Ａ０）／（Ａ１−Ａ０））×１００。
【００２２】
結果を表１に示す。表１において、○：除去率Ｘが８０％以上、△：除去率Ｘが６０％以上８０％未満、×：除去率Ｘが６０％未満、を示す。
【００２３】
【表１】
2005306997.tif 000002
【産業上の利用可能性】
【００２４】
本発明は、コンデンサーの製造工程、ゴムやプラスチックの合成工程、安息香酸の製造工程等における、安息香酸が付着した物品の洗浄に好ましく適用できる。